(57)【要約】【課題】送り方向最上流側に位置するノズルを理想的な位置に配置した液体吐出装置、及び、コンピュータシステムを実現することにある。【解決手段】液体を吐出するための複数のノズルを備え、移動可能な吐出ヘッドと、媒体を所定の送り方向へ送るための送り機構と、を有し、前記媒体のうち前記送り方向上流側に位置する部分を検知し、この検知結果に基づいて、前記複数のノズルのうち前記送り方向上流側に位置するノズルからの液体の吐出をさせないようにする液体吐出装置であって、前記送り方向上流側に位置する部分を検知する際の検知誤差により、前記送り方向上流側に位置する部分が検知されたときの媒体の前記送り方向の上流端位置が第一位置から第二位置までの範囲で変動する液体吐出装置において、前記複数のノズルのうち、前記送り方向最上流側に位置するノズル、の前記送り方向の位置は、前記第一位置より上流側にあり、かつ、前記第二位置より下流側にあることを特徴とする。【選択図】図１１
2006297946.tif 000002
【特許請求の範囲】
【請求項１】
液体を吐出するための複数のノズルを備え、移動可能な吐出ヘッドと、媒体を所定の送り方向へ送るための送り機構と、を有し、前記媒体のうち前記送り方向上流側に位置する部分を検知し、この検知結果に基づいて、前記複数のノズルのうち前記送り方向上流側に位置するノズルからの液体の吐出をさせないようにする液体吐出装置であって、
前記送り方向上流側に位置する部分を検知する際の検知誤差により、前記送り方向上流側に位置する部分が検知されたときの媒体の前記送り方向の上流端位置が第一位置から第二位置までの範囲で変動する液体吐出装置において、
前記複数のノズルのうち、前記送り方向最上流側に位置するノズル、の前記送り方向の位置は、前記第一位置より上流側にあり、かつ、前記第二位置より下流側にあることを特徴とする液体吐出装置。
【請求項２】
請求項１に記載の液体吐出装置において、
前記複数のノズルのうち、前記送り方向最上流側に位置するノズル、の前記送り方向の位置は、前記第一位置と前記第二位置との中間にあることを特徴とする液体吐出装置。
【請求項３】
請求項１又は請求項２に記載の液体吐出装置において、
前記媒体のうち前記送り方向上流側に位置する部分を検知し、この検知結果に基づいて、前記複数のノズルのうち、前記送り方向最上流側に位置するノズル及び該ノズルからの前記送り方向の距離が所定距離内にあるノズル、からの液体の吐出をさせないようにすることを特徴とする液体吐出装置。
【請求項４】
請求項３に記載の液体吐出装置において、
前記媒体のうち前記送り方向上流側に位置する部分が検知された後に、前記送り機構により前記媒体を前記送り方向へ送る手順と、前記吐出ヘッドを移動させて前記媒体に液体を吐出する手順と、を所定回数繰り返して、前記媒体への液体の吐出を終了することを特徴とする液体吐出装置。
【請求項５】
請求項４に記載の液体吐出装置において、
前記所定回数は複数回数であり、前記媒体のうち前記送り方向上流側に位置する部分が検知された後の前記媒体の累積紙送り量、の増加に応じて、前記媒体に液体を吐出する前記手順における前記所定距離を大きくすることを特徴とする液体吐出装置。
【請求項６】
請求項５に記載の液体吐出装置において、
前記累積紙送り量から所定量を減じた量を前記所定距離とすることを特徴とする液体吐出装置。
【請求項７】
請求項６に記載の液体吐出装置において、
前記所定量は、前記媒体のうち前記送り方向上流側に位置する部分を検知する検知精度が高いほど小さいことを特徴とする液体吐出装置。
【請求項８】
請求項１乃至請求項７に記載の液体吐出装置において、
前記媒体の端のうち、前記送り方向上流側に位置する端が、該送り方向の所定位置を通過したかどうかを判定することにより、前記媒体のうち前記送り方向上流側に位置する部分を検知することを特徴とする液体吐出装置。
【請求項９】
請求項８に記載の液体吐出装置において、
前記媒体を支持するための媒体支持部と、該媒体支持部に向けて光を発するための発光手段と、前記発光手段により発せられた光を受光するための受光センサと、を備え、
前記受光センサの出力値に基づいて前記媒体が前記発光手段から発せられた光の進行方向にあるか否かを判別することにより、前記媒体の端のうち、前記送り方向上流側に位置する端が、該送り方向の所定位置を通過したかどうかを判定することを特徴とする液体吐出装置。
【請求項１０】
請求項９に記載の液体吐出装置において、
前記媒体支持部上の前記送り方向の前記所定の位置であって、主走査方向において異なる複数の位置、に向けて前記発光手段から前記光を発し、発せられた光を受光した前記受光センサの出力値に基づいて前記媒体が前記光の進行方向にあるか否かを判別することを特徴とする液体吐出装置。
【請求項１１】
請求項１０に記載の液体吐出装置において、
主走査方向に移動可能な移動部材に、前記発光手段と前記受光センサが設けられており、
前記移動部材を主走査方向に移動させながら、前記媒体支持部上の前記送り方向の前記所定の位置であって、主走査方向において異なる複数の位置、に向けて前記発光手段から前記光を発し、発せられた光を受光した前記受光センサの出力値に基づいて前記媒体が前記光の進行方向にあるか否かを判別することを特徴とする液体吐出装置。
【請求項１２】
請求項１１に記載の液体吐出装置において、
前記移動部材は、前記吐出ヘッドを備えており、
前記移動部材を主走査方向に移動させながら、
前記送り方向の前記所定の位置であって、主走査方向において異なる複数の位置、に向けて前記発光手段から前記光を発し、発せられた光を受光した前記受光センサの出力値に基づいて前記媒体が前記光の進行方向にあるか否かを判別すると共に、
前記媒体に前記吐出ヘッドに設けられたノズルから液体を吐出することを特徴とする液体吐出装置。
【請求項１３】
請求項１乃至請求項１２のいずれかに記載の液体吐出装置において、
前記媒体の全表面を対象として液体を吐出することを特徴とする液体吐出装置。
【請求項１４】
請求項１乃至請求項１３のいずれかに記載の液体吐出装置において、
前記液体はインクであり、
前記液体吐出装置は、前記ノズルからインクを吐出することにより前記媒体たる被印刷体に印刷を行う印刷装置であることを特徴とする液体吐出装置。
【請求項１５】
インクを吐出するための複数のノズルを備え、移動可能な吐出ヘッドと、媒体を所定の送り方向へ送るための送り機構と、を有し、前記媒体のうち前記送り方向上流側に位置する部分を検知し、この検知結果に基づいて、前記複数のノズルのうち前記送り方向最上流側に位置するノズル及び該ノズルからの前記送り方向の距離が所定距離内にあるノズル、からのインクの吐出をさせないようにする液体吐出装置であって、
前記送り方向上流側に位置する部分を検知する際の検知誤差により、前記送り方向上流側に位置する部分が検知されたときの媒体の前記送り方向の上流端位置が第一位置から第二位置までの範囲で変動する液体吐出装置において、
前記複数のノズルのうち、前記送り方向最上流側に位置するノズル、の前記送り方向の位置は、前記第一位置と前記第二位置との中間にあり、
前記媒体のうち前記送り方向上流側に位置する部分が検知された後に、前記送り機構により前記媒体を前記送り方向へ送る手順と、前記吐出ヘッドを移動させて前記媒体にインクを吐出する手順と、を所定回数繰り返して、前記媒体へのインクの吐出を終了し、
前記所定回数は複数回数であり、前記媒体のうち前記送り方向上流側に位置する部分が検知された後の前記媒体の累積紙送り量、の増加に応じて、前記媒体にインクを吐出する前記手順における前記所定距離を大きくし、
前記累積紙送り量から所定量を減じた量を前記所定距離とし、
前記所定量は、前記媒体のうち前記送り方向上流側に位置する部分を検知する検知精度が高いほど小さく、
前記媒体の端のうち、前記送り方向上流側に位置する端が、該送り方向の所定位置を通過したかどうかを判定することにより、前記媒体のうち前記送り方向上流側に位置する部分を検知し、
前記媒体を支持するための媒体支持部と、該媒体支持部に向けて光を発するための発光手段と、前記発光手段により発せられた光を受光するための受光センサと、を備え、前記受光センサの出力値に基づいて前記媒体が前記発光手段から発せられた光の進行方向にあるか否かを判別することにより、前記媒体の端のうち、前記送り方向上流側に位置する端が、該送り方向の所定位置を通過したかどうかを判定し、
主走査方向に移動可能な移動部材に前記発光手段と前記受光センサが設けられており、前記移動部材は前記吐出ヘッドを備えており、
前記移動部材を主走査方向に移動させながら、前記媒体支持部上の前記送り方向の前記所定の位置であって、主走査方向において異なる複数の位置、に向けて前記発光手段から前記光を発し、発せられた光を受光した前記受光センサの出力値に基づいて前記媒体が前記光の進行方向にあるか否かを判別すると共に、前記媒体に前記吐出ヘッドに設けられたノズルからインクを吐出し、
前記媒体の全表面を対象としてインクを吐出することを特徴とする液体吐出装置。
【請求項１６】
液体を吐出するための複数のノズルを備え、移動可能な吐出ヘッドと、
媒体を所定の送り方向へ送るための送り機構と、
前記媒体を支持するための媒体支持部と、
該媒体支持部に向けて光を発するための発光手段と、前記発光手段により発せられた光を受光するための受光センサと、を備えた検知手段と、を有し、
前記受光センサの出力値に基づいて前記媒体が前記発光手段から発せられた光の進行方向にあるか否かを検知することにより、前記媒体の端のうち、前記送り方向上流側に位置する端が、該送り方向の所定位置を通過したかどうかを判定し、この判定結果に基づいて、前記複数のノズルのうち前記送り方向上流側に位置するノズルからの液体の吐出をさせないようにする液体吐出装置において、
前記検知手段は、前記複数のノズルのうち、前記送り方向最上流側に位置するノズル、と、主走査方向において並んで設けられていることを特徴とする液体吐出装置。
【請求項１７】
コンピュータ本体、コンピュータ本体に接続可能な表示装置、及び、コンピュータ本体に接続可能な液体吐出装置であって、液体を吐出するための複数のノズルを備え、移動可能な吐出ヘッドと、媒体を所定の送り方向へ送るための送り機構と、を有し、前記媒体のうち前記送り方向上流側に位置する部分を検知し、この検知結果に基づいて、前記複数のノズルのうち前記送り方向上流側に位置するノズルからの液体の吐出をさせないようにする液体吐出装置であって、前記送り方向上流側に位置する部分を検知する際の検知誤差により、前記送り方向上流側に位置する部分が検知されたときの媒体の前記送り方向の上流端位置が第一位置から第二位置までの範囲で変動する液体吐出装置であって、前記複数のノズルのうち、前記送り方向最上流側に位置するノズル、の前記送り方向の位置は、前記第一位置より上流側にあり、かつ、前記第二位置より下流側にある液体吐出装置、を具備することを特徴とするコンピュータシステム。
【発明の詳細な説明】
【技術分野】
【０００１】
本発明は、液体吐出装置、及び、コンピュータシステムに関する。
【背景技術】
【０００２】
代表的な液体吐出装置であるカラーインクジェットプリンタは既によく知られている。このカラーインクジェットプリンタは、ノズルから液体の一例としてのインクを吐出するインクジェット式の吐出ヘッドの一例としての印刷ヘッドを備えており、媒体の一例としての印刷用紙にインクを吐出させることによって画像や文字等を記録する構成となっている。  
そして、印刷ヘッドは、ノズルが形成されたノズル面を印刷用紙に対向させた状態でキャリッジに支持されており、ガイド部材に沿って印刷用紙の幅方向に移動（主走査）し、この主走査に同期してインクを吐出する。  
また、近年、写真と同じイメージの出力結果が得られる等の理由から、印刷用紙の全表面を対象として印刷を行ういわゆる縁なし印刷が可能なカラーインクジェットプリンタが人気を集めている。縁なし印刷により、例えば、印刷用紙の四辺の縁にも余白なくインクを吐出して印刷することが可能である。
【０００３】
ところで、印刷用紙に印刷を行うために印刷用紙の送り動作とインクの吐出動作が繰り返し実行されると、やがて、印刷終了直前等において前記ノズル面の一部が印刷用紙に対向しない状態が生じる。かかる状態において、印刷用紙に対向しないノズルからインクを吐出すると、インクを無駄に消費することとなる。かかる問題を解消するために、印刷用紙のうち紙送り方向上流側に位置する部分を検知し、この検知結果に基づいて、複数のノズルのうち紙送り方向上流側に位置するノズルからのインクの吐出をさせないようにする方策を取ることができる。
【０００４】
一方、印刷用紙のうち紙送り方向上流側に位置する部分を検知する際には検知誤差が生じる。かかる検知誤差により、紙送り方向上流側に位置する部分が検知されるときの印刷用紙の紙送り方向の上流端位置が変動する。
【０００５】
ここで、変動する前記上流端位置のうち、最も紙送り方向下流側に来るときの当該上流端位置を第一位置、最も紙送り方向上流側に来るときの当該上流端位置を第二位置とすると、紙送り方向最上流側に位置するノズルの紙送り方向の位置と、前記第一位置又は前記第二位置との位置関係によっては、以下の不都合が生ずる場合がある。
【０００６】
詳細については後述するが、紙送り方向最上流側に位置するノズルの紙送り方向の位置が前記第一位置又は前記第二位置よりも上流側にある場合には、印刷用紙のうち紙送り方向上流側に位置する部分を検知し、この検知結果に基づいて、複数のノズルのうち紙送り方向上流側に位置するノズルからのインクの吐出をさせないようにする際にインクが無駄に消費されてしまうという問題が生ずる可能性がある。
【０００７】
逆に、紙送り方向最上流側に位置するノズルの紙送り方向の位置が前記第一位置又は前記第二位置よりも下流側にある場合には、印刷用紙に余白部が発生してしまい、当該余白部の発生を回避するためには、より大きなマージンを確保しなければならないという問題が生じる可能性がある。
【発明の開示】
【発明が解決しようとする課題】
【０００８】
本発明は、かかる課題に鑑みてなされたものであり、その目的とするところは、送り方向最上流側に位置するノズルを理想的な位置に配置した液体吐出装置、及び、コンピュータシステムを実現することにある。
【課題を解決するための手段】
【０００９】
主たる本発明は、液体を吐出するための複数のノズルを備え、移動可能な吐出ヘッドと、媒体を所定の送り方向へ送るための送り機構と、を有し、前記媒体のうち前記送り方向上流側に位置する部分を検知し、この検知結果に基づいて、前記複数のノズルのうち前記送り方向上流側に位置するノズルからの液体の吐出をさせないようにする液体吐出装置であって、前記送り方向上流側に位置する部分を検知する際の検知誤差により、前記送り方向上流側に位置する部分が検知されたときの媒体の前記送り方向の上流端位置が第一位置から第二位置までの範囲で変動する液体吐出装置において、前記複数のノズルのうち、前記送り方向最上流側に位置するノズル、の前記送り方向の位置は、前記第一位置より上流側にあり、かつ、前記第二位置より下流側にあることを特徴とする液体吐出装置である。
【００１０】
本発明の他の特徴については、本明細書及び添付図面の記載により明らかにする。
【発明を実施するための最良の形態】
【００１１】
本明細書及び添付図面の記載により、少なくとも次のことが明らかにされる。
【００１２】
液体を吐出するための複数のノズルを備え、移動可能な吐出ヘッドと、媒体を所定の送り方向へ送るための送り機構と、を有し、前記媒体のうち前記送り方向上流側に位置する部分を検知し、この検知結果に基づいて、前記複数のノズルのうち前記送り方向上流側に位置するノズルからの液体の吐出をさせないようにする液体吐出装置であって、前記送り方向上流側に位置する部分を検知する際の検知誤差により、前記送り方向上流側に位置する部分が検知されたときの媒体の前記送り方向の上流端位置が第一位置から第二位置までの範囲で変動する液体吐出装置において、前記複数のノズルのうち、前記送り方向最上流側に位置するノズル、の前記送り方向の位置は、前記第一位置より上流側にあり、かつ、前記第二位置より下流側にあることを特徴とする液体吐出装置。  
前記複数のノズルのうち、前記送り方向最上流側に位置するノズル、の前記送り方向の位置は、前記第一位置より上流側にあり、かつ、前記第二位置より下流側にあることにより、送り方向最上流側に位置するノズルを理想的な位置に配置した液体吐出装置を実現することができる。
【００１３】
また、前記複数のノズルのうち、前記送り方向最上流側に位置するノズル、の前記送り方向の位置は、前記第一位置と前記第二位置との中間にあることとしてもよい。  
このようにすれば、送り方向最上流側に位置するノズルをより理想的な位置に配置した液体吐出装置を実現することができる。
【００１４】
また、前記媒体のうち前記送り方向上流側に位置する部分を検知し、この検知結果に基づいて、前記複数のノズルのうち、前記送り方向最上流側に位置するノズル及び該ノズルからの前記送り方向の距離が所定距離内にあるノズル、からの液体の吐出をさせないようにすることとしてもよい。  
このようにすれば、液体の消費量をより減少させることが可能となる。
【００１５】
また、前記媒体のうち前記送り方向上流側に位置する部分が検知された後に、前記送り機構により前記媒体を前記送り方向へ送る手順と、前記吐出ヘッドを移動させて前記媒体に液体を吐出する手順と、を所定回数繰り返して、前記媒体への液体の吐出を終了することとしてもよい。  
このようにすれば、前記媒体にドットを記録し尽くすことが可能となる。
【００１６】
また、前記所定回数は複数回数であり、前記媒体のうち前記送り方向上流側に位置する部分が検知された後の前記媒体の累積紙送り量、の増加に応じて、前記媒体に液体を吐出する前記手順における前記所定距離を大きくすることとしてもよい。  
このようにすれば、前記媒体に対向しないノズル数の増加に応じて、液体を吐出させないノズル数を増加させることが可能となり、したがって、液体の消費量をより減少させることができる。
【００１７】
また、前記累積紙送り量から所定量を減じた量を前記所定距離とすることとしてもよい。  
このようにすれば、前記媒体のうち前記送り方向上流側に位置する部分を検知する際の検知誤差を考慮し、マージンを確保することが可能となる。
【００１８】
また、前記所定量は、前記媒体のうち前記送り方向上流側に位置する部分を検知する検知精度が高いほど小さいこととしてもよい。  
このようにすれば、検知精度の大きさに応じてマージンの量を調整することにより、より効果的に液体を吐出させないノズルを決定することができる。
【００１９】
また、前記媒体の端のうち、前記送り方向上流側に位置する端が、該送り方向の所定位置を通過したかどうかを判定することにより、前記媒体のうち前記送り方向上流側に位置する部分を検知することとしてもよい。  
このようにすれば、より確実に、前記媒体のうち前記送り方向上流側に位置する部分を検知することができる。
【００２０】
また、前記媒体を支持するための媒体支持部と、該媒体支持部に向けて光を発するための発光手段と、前記発光手段により発せられた光を受光するための受光センサと、を備え、前記受光センサの出力値に基づいて前記媒体が前記発光手段から発せられた光の進行方向にあるか否かを判別することにより、前記媒体の端のうち、前記送り方向上流側に位置する端が、該送り方向の所定位置を通過したかどうかを判定することとしてもよい。  
このようにすれば、より簡易に、前記媒体の端のうち、前記送り方向上流側に位置する端が、前記送り方向の所定位置を通過したかどうかを判定することができる。
【００２１】
また、前記媒体支持部上の前記送り方向の前記所定の位置であって、主走査方向において異なる複数の位置、に向けて前記発光手段から前記光を発し、発せられた光を受光した前記受光センサの出力値に基づいて前記媒体が前記光の進行方向にあるか否かを判別することとしてもよい。  
このようにすれば、前記媒体が傾いている場合等であっても、確実に、媒体のうち紙送り方向上流側に位置する部分を検知することができる。
【００２２】
また、主走査方向に移動可能な移動部材に、前記発光手段と前記受光センサが設けられており、前記移動部材を主走査方向に移動させながら、前記媒体支持部上の前記送り方向の前記所定の位置であって、主走査方向において異なる複数の位置、に向けて前記発光手段から前記光を発し、発せられた光を受光した前記受光センサの出力値に基づいて前記媒体が前記光の進行方向にあるか否かを判別することとしてもよい。  
このようにすれば、主走査方向において異なる複数の前記位置に向けて発光手段から光を発する際に、前記位置毎に光を発する方向を変化させる必要がなくなる。
【００２３】
また、前記移動部材は、前記吐出ヘッドを備えており、前記移動部材を主走査方向に移動させながら、前記送り方向の前記所定の位置であって、主走査方向において異なる複数の位置、に向けて前記発光手段から前記光を発し、発せられた光を受光した前記受光センサの出力値に基づいて前記媒体が前記光の進行方向にあるか否かを判別すると共に、前記媒体に前記吐出ヘッドに設けられたノズルから液体を吐出することとしてもよい。  
このようにすれば、前記移動部材と前記発光手段及び前記受光センサの移動機構を共通化することができる。
【００２４】
また、前記媒体の全表面を対象として液体を吐出することとしてもよい。  
このような場合には、ノズル面の一部が媒体に対向しない状態において媒体に対向しないノズルから液体を吐出する状況が生じやすいから、上記手段によるメリットがより大きくなる。
【００２５】
また、前記液体はインクであり、前記液体吐出装置は、前記ノズルからインクを吐出することにより前記媒体たる被印刷体に印刷を行う印刷装置であることとしてもよい。  
このような場合には、前述した効果を奏する印刷装置を実現することができる。
【００２６】
また、インクを吐出するための複数のノズルを備え、移動可能な吐出ヘッドと、媒体を所定の送り方向へ送るための送り機構と、を有し、前記媒体のうち前記送り方向上流側に位置する部分を検知し、この検知結果に基づいて、前記複数のノズルのうち前記送り方向最上流側に位置するノズル及び該ノズルからの前記送り方向の距離が所定距離内にあるノズル、からのインクの吐出をさせないようにする液体吐出装置であって、前記送り方向上流側に位置する部分を検知する際の検知誤差により、前記送り方向上流側に位置する部分が検知されたときの媒体の前記送り方向の上流端位置が第一位置から第二位置までの範囲で変動する液体吐出装置において、前記複数のノズルのうち、前記送り方向最上流側に位置するノズル、の前記送り方向の位置は、前記第一位置と前記第二位置との中間にあり、前記媒体のうち前記送り方向上流側に位置する部分が検知された後に、前記送り機構により前記媒体を前記送り方向へ送る手順と、前記吐出ヘッドを移動させて前記媒体にインクを吐出する手順と、を所定回数繰り返して、前記媒体へのインクの吐出を終了し、前記所定回数は複数回数であり、前記媒体のうち前記送り方向上流側に位置する部分が検知された後の前記媒体の累積紙送り量、の増加に応じて、前記媒体にインクを吐出する前記手順における前記所定距離を大きくし、前記累積紙送り量から所定量を減じた量を前記所定距離とし、前記所定量は、前記媒体のうち前記送り方向上流側に位置する部分を検知する検知精度が高いほど小さく、前記媒体の端のうち、前記送り方向上流側に位置する端が、該送り方向の所定位置を通過したかどうかを判定することにより、前記媒体のうち前記送り方向上流側に位置する部分を検知し、前記媒体を支持するための媒体支持部と、該媒体支持部に向けて光を発するための発光手段と、前記発光手段により発せられた光を受光するための受光センサと、を備え、前記受光センサの出力値に基づいて前記媒体が前記発光手段から発せられた光の進行方向にあるか否かを判別することにより、前記媒体の端のうち、前記送り方向上流側に位置する端が、該送り方向の所定位置を通過したかどうかを判定し、主走査方向に移動可能な移動部材に前記発光手段と前記受光センサが設けられており、前記移動部材は前記吐出ヘッドを備えており、前記移動部材を主走査方向に移動させながら、前記媒体支持部上の前記送り方向の前記所定の位置であって、主走査方向において異なる複数の位置、に向けて前記発光手段から前記光を発し、発せられた光を受光した前記受光センサの出力値に基づいて前記媒体が前記光の進行方向にあるか否かを判別すると共に、前記媒体に前記吐出ヘッドに設けられたノズルからインクを吐出し、前記媒体の全表面を対象としてインクを吐出することを特徴とする液体吐出装置も実現可能である。  
このようにして実現された液体吐出装置は、既述の総ての効果を奏するため、本発明の目的が最も有効に達成される。
【００２７】
次に、液体を吐出するための複数のノズルを備え、移動可能な吐出ヘッドと、媒体を所定の送り方向へ送るための送り機構と、前記媒体を支持するための媒体支持部と、該媒体支持部に向けて光を発するための発光手段と、前記発光手段により発せられた光を受光するための受光センサと、を備えた検知手段と、を有し、前記受光センサの出力値に基づいて前記媒体が前記発光手段から発せられた光の進行方向にあるか否かを検知することにより、前記媒体の端のうち、前記送り方向上流側に位置する端が、該送り方向の所定位置を通過したかどうかを判定し、この判定結果に基づいて、前記複数のノズルのうち前記送り方向上流側に位置するノズルからの液体の吐出をさせないようにする液体吐出装置において、前記検知手段は、前記複数のノズルのうち、前記送り方向最上流側に位置するノズル、と、主走査方向において並んで設けられていることを特徴とする液体吐出装置。  
このようにすれば、送り方向最上流側に位置するノズルをより理想的な位置に配置した液体吐出装置を実現することができる。
【００２８】
また、コンピュータ本体、コンピュータ本体に接続可能な表示装置、及び、コンピュータ本体に接続可能な液体吐出装置であって、液体を吐出するための複数のノズルを備え、移動可能な吐出ヘッドと、媒体を所定の送り方向へ送るための送り機構と、を有し、前記媒体のうち前記送り方向上流側に位置する部分を検知し、この検知結果に基づいて、前記複数のノズルのうち前記送り方向上流側に位置するノズルからの液体の吐出をさせないようにする液体吐出装置であって、前記送り方向上流側に位置する部分を検知する際の検知誤差により、前記送り方向上流側に位置する部分が検知されたときの媒体の前記送り方向の上流端位置が第一位置から第二位置までの範囲で変動する液体吐出装置であって、前記複数のノズルのうち、前記送り方向最上流側に位置するノズル、の前記送り方向の位置は、前記第一位置より上流側にあり、かつ、前記第二位置より下流側にある液体吐出装置、を具備することを特徴とするコンピュータシステムも実現可能である。  
このようにして実現されたコンピュータシステムは、システム全体として従来システムよりも優れたシステムとなる。
【００２９】
＝＝＝装置の全体構成例＝＝＝
図１は、本発明の一例としての印刷システムの構成を示すブロック図である。この印刷システムは、コンピュータ９０と、液体吐出装置の一例としてのカラーインクジェットプリンタ２０と、を備えている。なお、カラーインクジェットプリンタ２０とコンピュータ９０とを含む印刷システムは、広義の「液体吐出装置」と呼ぶこともできる。また、図示はしないが、上記コンピュータ９０、上記カラーインクジェットプリンタ２０、ＣＲＴ２１や液晶表示装置等の表示装置、キーボードやマウス等の入力装置、フレキシブルドライブ装置やＣＤ−ＲＯＭドライブ装置等のドライブ装置等から、コンピュータシステムが構築されている。
【００３０】
コンピュータ９０では、所定のオペレーティングシステムの下で、アプリケーションプログラム９５が動作している。オペレーティングシステムには、ビデオドライバ９１やプリンタドライバ９６が組み込まれており、アプリケーションプログラム９５からは、これらのドライバを介して、カラーインクジェットプリンタ２０に転送するための印刷データＰＤが出力される。画像のレタッチなどを行うアプリケーションプログラム９５は、処理対象の画像に対して所望の処理を行い、また、ビデオドライバ９１を介してＣＲＴ２１に画像を表示している。
【００３１】
アプリケーションプログラム９５が印刷命令を発すると、コンピュータ９０のプリンタドライバ９６が、画像データをアプリケーションプログラム９５から受け取り、これをカラーインクジェットプリンタ２０に供給する印刷データＰＤに変換する。プリンタドライバ９６の内部には、解像度変換モジュール９７と、色変換モジュール９８と、ハーフトーンモジュール９９と、ラスタライザ１００と、ユーザインターフェース表示モジュール１０１と、ＵＩプリンタインターフェースモジュール１０２と、色変換ルックアップテーブルＬＵＴと、が備えられている。
【００３２】
解像度変換モジュール９７は、アプリケーションプログラム９５で形成されたカラー画像データの解像度を、印刷解像度に変換する役割を果たす。こうして解像度変換された画像データは、まだＲＧＢの３つの色成分からなる画像情報である。色変換モジュール９８は、色変換ルックアップテーブルＬＵＴを参照しつつ、各画素毎に、ＲＧＢ画像データを、カラーインクジェットプリンタ２０が利用可能な複数のインク色の多階調データに変換する。
【００３３】
色変換された多階調データは、例えば２５６階調の階調値を有している。ハーフトーンモジュール９９は、いわゆるハーフトーン処理を実行してハーフトーン画像データを生成する。このハーフトーン画像データは、ラスタライザ１００によりカラーインクジェットプリンタ２０に転送すべきデータ順に並べ替えられ、最終的な印刷データＰＤとして出力される。印刷データＰＤは、各主走査時のドットの形成状態を示すラスタデータと、副走査送り量を示すデータと、を含んでいる。
【００３４】
ユーザインターフェース表示モジュール１０１は、印刷に関係する種々のユーザインターフェースウィンドウを表示する機能と、それらのウィンドウ内におけるユーザの入力を受け取る機能とを有している。
【００３５】
ＵＩプリンタインターフェースモジュール１０２は、ユーザインターフェース（ＵＩ）とカラーインクジェットプリンタ間のインターフェースを取る機能を有している。ユーザがユーザインターフェースにより指示した命令を解釈して、カラーインクジェットプリンタへ各種コマンドＣＯＭを送信したり、逆に、カラーインクジェットプリンタから受信したコマンドＣＯＭを解釈して、ユーザインターフェースへ各種表示を行ったりする。
【００３６】
なお、プリンタドライバ９６は、各種コマンドＣＯＭを送受信する機能、印刷データＰＤをカラーインクジェットプリンタ２０に供給する機能等を実現する。プリンタドライバ９６の機能を実現するためのプログラムは、コンピュータ読み取り可能な記録媒体に記録された形態で供給される。このような記録媒体としては、フレキシブルディスクやＣＤ−ＲＯＭ、光磁気ディスク、ＩＣカード、ＲＯＭカートリッジ、パンチカード、バーコードなどの符号が印刷された印刷物、コンピュータの内部記憶装置（ＲＡＭやＲＯＭなどのメモリ）および外部記憶装置等の、コンピュータが読み取り可能な種々の媒体を利用できる。また、このようなコンピュータプログラムを、インターネットを介してコンピュータ９０にダウンロードすることも可能である。
【００３７】
図２は、カラーインクジェットプリンタ２０の主要な構成の一例を示す概略斜視図である。このカラーインクジェットプリンタ２０は、用紙スタッカ２２と、図示しないステップモータで駆動される紙送りローラ２４と、媒体を支持するための媒体支持部の一例としてのプラテン２６と、移動部材の一例としてのキャリッジ２８と、キャリッジモータ３０と、キャリッジモータ３０によって駆動される牽引ベルト３２と、キャリッジ２８のためのガイドレール３４とを備えている。また、キャリッジ２８には、多数のノズルを備えた吐出ヘッドの一例としての印刷ヘッド３６と、後に詳述する検知手段の一例としての反射型光学センサ２９が搭載されている。
【００３８】
印刷用紙Ｐは、用紙スタッカ２２から紙送りローラ２４によって巻き取られてプラテン２６の表面上を所定の送り方向の一例としての紙送り方向（以下、副走査方向ともいう）へ送られる。キャリッジ２８は、キャリッジモータ３０により駆動される牽引ベルト３２に牽引されて、ガイドレール３４に沿って主走査方向に移動する。なお、主走査方向とは、図に示すように副走査方向に垂直な２つの方向をいう。また、印刷用紙Ｐをカラーインクジェットプリンタ２０へ供給するための給紙動作、印刷用紙Ｐをカラーインクジェットプリンタ２０から排出させるための排紙動作も上記紙送りローラ２４を用いて行われる。
【００３９】
＝＝＝反射型光学センサの構成例＝＝＝
図３は、反射型光学センサ２９の一例を説明するための模式図である。反射型光学センサ２９はキャリッジ２８に取付けられ、例えば発光ダイオードから構成される発光手段の一例としての発光部３８と例えばフォトトランジスタから構成される受光センサの一例としての受光部４０を有している。発光部３８から発した光、すなわち入射光は、印刷用紙Ｐや発せられた光の進行方向に印刷用紙Ｐがない場合にはプラテン２６により反射され、その反射光は受光部４０で受光され、電気信号に変換される。そして、受光した反射光の強さに応じた受光センサの出力値として、電気信号の大きさが測定される。
【００４０】
なお、上記においては、図に示されるように、発光部３８と受光部４０は、一体となって反射型光学センサ２９という機器を構成することとしたが、発光機器と受光機器のように各々別個の機器を構成してもよい。
【００４１】
また、上記においては、受光した反射光の強さを得るために、反射光を電気信号に変換した後に電気信号の大きさを測定することとしたが、これに限定されるものではなく、受光した反射光の強さに応じた受光センサの出力値を測定することができればよい。
【００４２】
＝＝＝キャリッジ周辺の構成例＝＝＝
次にキャリッジ周辺の構成について説明する。図４は、インクジェットプリンタのキャリッジ２８周辺の構成を示した図である。
【００４３】
図４に示したインクジェットプリンタは、送り機構の一例としての紙送りを行う紙送りモータ（以下、ＰＦモータともいう）３１と、印刷用紙Ｐに液体の一例としてのインクを吐出する印刷ヘッド３６が固定され、主走査方向に駆動されるキャリッジ２８と、キャリッジ２８を駆動するキャリッジモータ（以下、ＣＲモータともいう）３０と、キャリッジ２８に固定されたリニア式エンコーダ１１と、所定の間隔にスリットが形成されたリニア式エンコーダ用符号板１２と、ＰＦモータ３１用の不図示のロータリ式エンコーダ１３と、印刷用紙Ｐを支持するプラテン２６と、ＰＦモータ３１によって駆動されて印刷用紙Ｐを搬送する紙送りローラ２４と、ＣＲモータ３０の回転軸に取付けられたプーリ２５と、プーリ２５によって駆動される牽引ベルト３２とを備えている。
【００４４】
次に、上記のリニア式エンコーダ１１及びロータリ式エンコーダ１３について説明する。図５は、キャリッジ２８に取付けられたリニア式エンコーダ１１の構成を模式的に示した説明図である。
【００４５】
図５に示したリニア式エンコーダ１１は、発光ダイオード１１ａと、コリメータレンズ１１ｂと、検出処理部１１ｃとを備えている。検出処理部１１ｃは、複数（例えば４個）のフォトダイオード１１ｄと、信号処理回路１１ｅと、例えば２個のコンパレータ１１ｆＡ、１１ｆＢとを有している。
【００４６】
発光ダイオード１１ａの両端に抵抗を介して電圧VCCが印加されると、発光ダイオード１１ａから光が発せられる。この光はコリメータレンズ１１ｂにより平行光に集光されてリニア式エンコーダ用符号板１２を通過する。リニア式エンコーダ用符号板１２には、所定の間隔（例えば１／１８０インチ（１インチ＝２．５４ｃｍ））毎にスリットが設けられている。
【００４７】
リニア式エンコーダ用符号板１２を通過した平行光は、図示しない固定スリットを通って各フォトダイオード１１ｄに入射し、電気信号に変換される。４個のフォトダイオード１１ｄから出力される電気信号は信号処理回路１１ｅにおいて信号処理され、信号処理回路１１ｅから出力される信号はコンパレータ１１ｆA、１１ｆBにおいて比較され、比較結果がパルスとして出力される。コンパレータ１１ｆA、１１ｆBから出力されるパルスＥＮＣ−Ａ、ＥＮＣ−Ｂがリニア式エンコーダ１１の出力となる。
【００４８】
図６は、ＣＲモータ正転時及び逆転時におけるリニア式エンコーダ１１の２つの出力信号の波形を示したタイミングチャートである。
【００４９】
図６（ａ）及び図６（ｂ）に示すように、ＣＲモータ正転時及び逆転時のいずれの場合も、パルスＥＮＣ−ＡとパルスＥＮＣ−Ｂとは位相が９０度だけ異なっている。ＣＲモータ３０が正転しているとき、即ち、キャリッジ２８が主走査方向に移動しているときは、図６（ａ）に示すように、パルスＥＮＣ−ＡはパルスＥＮＣ−Ｂよりも９０度だけ位相が進み、ＣＲモータ３０が逆転しているときは、図６（ｂ）に示すように、パルスＥＮＣ−ＡはパルスＥＮＣ−Ｂよりも９０度だけ位相が遅れる。そして、パルスＥＮＣ−Ａ及びパルスＥＮＣ−Ｂの１周期Ｔは、キャリッジ２８がリニア式エンコーダ用符号板１２のスリット間隔を移動する時間に等しい。
【００５０】
そして、リニア式エンコーダ１１の出力パルスＥＮＣ−Ａ、ＥＮＣ−Ｂの各々の立ち上がりエッジ、立ち上がりエッジが検出され、検出されたエッジの個数が計数され、この計数値に基づいてＣＲモータ３０の回転位置が演算される。この計数はＣＲモータ３０が正転しているときは１個のエッジが検出されると「＋１」を加算し、逆転しているときは、１個のエッジが検出されると「−１」を加算する。パルスＥＮＣ−Ａ及びＥＮＣ−Ｂの各々の周期は、リニア式エンコーダ用符号板１２の、あるスリットがリニア式エンコーダ１１を通過してから次のスリットがリニア式エンコーダ１１を通過するまでの時間に等しく、かつ、パルスＥＮＣ−ＡとパルスＥＮＣ−Ｂとは位相が９０度だけ異なっている。このため、上記計数のカウント値「１」はリニア式エンコーダ用符号板１２のスリット間隔の１／４に対応する。これにより上記計数値にスリット間隔の１／４を乗算すれば、その乗算値に基づいて、計数値が「０」に対応する回転位置からのＣＲモータ３０の移動量を求めることができる。このときリニア式エンコーダ１１の解像度はリニア式エンコーダ用符号板１２のスリットの間隔の１／４となる。
【００５１】
一方、ＰＦモータ３１用のロータリ式エンコーダ１３はロータリ式エンコーダ用符号板がＰＦモータ３１の回転に応じて回転する回転円板である以外は、リニア式エンコーダ１１と同様の構成となっており、２つの出力パルスＥＮＣ−Ａ、ＥＮＣ−Ｂを出力し、かかる出力に基づいてＰＦモータ３１の移動量を求めることができる。
【００５２】
＝＝＝カラーインクジェットプリンタの電気的構成例＝＝＝
図７は、カラーインクジェットプリンタ２０の電気的構成の一例を示すブロック図である。このカラーインクジェットプリンタ２０は、コンピュータ９０から供給された信号を受信するバッファメモリ５０と、印刷データを格納するイメージバッファ５２と、カラーインクジェットプリンタ２０全体の動作を制御するシステムコントローラ５４と、メインメモリ５６と、ＥＥＰＲＯＭ５８とを備えている。システムコントローラ５４には、さらに、キャリッジモータ３０を駆動する主走査駆動回路６１と、紙送りモータ３１を駆動する副走査駆動回路６２と、印刷ヘッド３６を駆動するヘッド駆動回路６３と、反射型光学センサ２９の発光部３８、受光部４０を制御する反射型光学センサ制御回路６５と、既述のリニア式エンコーダ１１と、既述のロータリ式エンコーダ１３と、が接続されている。また、反射型光学センサ制御回路６５は、受光部４０により受光される反射光から変換される電気信号を測定するための電気信号測定部６６を備えている。
【００５３】
コンピュータ９０から転送された印刷データは、一旦、バッファメモリ５０に蓄えられる。カラーインクジェットプリンタ２０内では、システムコントローラ５４が、バッファメモリ５０から印刷データの中から必要な情報を読み取り、これに基づいて、主走査駆動回路６１、副走査駆動回路６２、ヘッド駆動回路６３等に対して制御信号を送る。
【００５４】
イメージバッファ５２には、バッファメモリ５０で受信された複数の色成分の印刷データが格納される。ヘッド駆動回路６３は、システムコントローラ５４からの制御信号に従って、イメージバッファ５２から各色成分の印刷データを読出し、これに応じて印刷ヘッド３６に設けられた各色のノズルアレイを駆動する。
【００５５】
＝＝＝印刷ヘッドのノズル配列例等＝＝＝
図８は、印刷ヘッド３６の下面におけるノズル配列を示す説明図である。この印刷ヘッド３６は、副走査方向に沿った一直線上にそれぞれ配列されたブラックノズル列、イエローノズル列、マゼンタノズル列、シアンノズル列と、を有している。図に示すように、それぞれのノズル列は２列づつ設けられており、本明細書においては、各々のノズル列を、第一ブラックノズル列、第二ブラックノズル列、第一イエローノズル列、第二イエローノズル列、第一マゼンタノズル列、第二マゼンタノズル列、第一シアンノズル列、第二シアンノズル列と呼ぶ。
【００５６】
ブラックノズル列（白丸で示す）は、３６０個のノズル＃１〜＃３６０を有している。これらのノズルのうち、奇数番目のノズル＃１、＃３、・・・、＃３５９は第一ブラックノズル列に、偶数番目のノズル＃２，＃４、・・・、＃３６０は第二ブラックノズル列に属している。第一ブラックノズル列のノズル＃１、＃３、・・・、＃３５９は、副走査方向に沿って一定のノズルピッチｋ・Ｄで配置されている。ここで、Ｄは副走査方向のドットピッチであり、ｋは整数である。副走査方向のドットピッチＤは、主走査ライン（ラスタライン）のピッチとも等しい。以下では、ノズルピッチｋ・Ｄを表す整数ｋを、単に「ノズルピッチｋ」と呼ぶ。図８の例では、ノズルピッチｋは４ドットである。但し、ノズルピッチｋは、任意の整数に設定することができる。
【００５７】
また、第二ブラックノズル列のノズル＃２，＃４、・・・、＃３６０も、また、副走査方向に沿って一定のノズルピッチｋ・Ｄ（ノズルピッチｋ＝４）で配置されているが、図に示すように、各ノズルの副走査方向の位置は、第一ブラックノズル列の各ノズルの副走査方向の位置に比べてずれている。図８の例において、かかるずれ量は、１／２・ｋ・Ｄ（ｋ＝４）である。
【００５８】
また、上述した事項は、イエローノズル列（白三角で示す）、マゼンタノズル列（白四角で示す）、シアンノズル列（白菱形で示す）についても、同様である。すなわち、各ノズル列は、３６０個のノズル＃１〜＃３６０を有し、そのうち、奇数番目のノズル＃１、＃３、・・・、＃３５９が第一列に、＃２，＃４、・・・、＃３６０が第二列に属している。また、各々のノズル列は、副走査方向に沿って一定のノズルピッチｋ・Ｄで配置されており、第二列のノズルの副走査方向の位置は、第一列のノズルの副走査方向の位置に比べて、１／２・ｋ・Ｄ（ｋ＝４）だけずれている。
【００５９】
すなわち、印刷ヘッド３６に配置されたノズル群は千鳥形状を構成しており、印刷時には、キャリッジ２８とともに印刷ヘッド３６が主走査方向に一定速度で移動している間に、各ノズルからインク滴が吐出される。但し、印刷方式によっては、すべてのノズルが常に使用されるとは限らず、一部のノズルのみが使用される場合もある。
【００６０】
なお、前述した反射型光学センサ２９は、印刷ヘッド３６と共に、キャリッジ２８に取付けられている。また、本実施の形態において、反射型光学センサ２９は、図に示すように、印刷ヘッド３６に設けられた複数のノズルのうち、紙送り方向最上流側に位置するノズル、と、主走査方向において並んで設けられている。
【００６１】
＝＝＝第一の実施の形態＝＝＝
次に、図９及び図１０を用いて、本発明の第一の実施の形態について説明する。図９は、第一の実施の形態を説明するためのフローチャートである。図１０については、後述する。
【００６２】
先ず、最初に、ユーザがアプリケーションプログラム９５等において印刷を行う旨を指示する（ステップＳ２）。本指示を受け取ったアプリケーションプログラム９５が、印刷命令を発すると、コンピュータ９０のプリンタドライバ９６が、画像データをアプリケーションプログラム９５から受け取り、これを各主走査時のドットの形成状態を示すラスタデータと副走査送り量を示すデータとを含む印刷データＰＤに変換する。さらに、プリンタドライバ９６は、かかる印刷データＰＤを各種コマンドＣＯＭとともに、カラーインクジェットプリンタ２０に供給する。カラーインクジェットプリンタ２０は、これらを、バッファメモリ５０により受信した後に、イメージバッファ５２又はシステムコントローラ５４へ送信する。
【００６３】
また、ユーザは印刷用紙Ｐのサイズや縁なし印刷を行う旨をユーザインターフェース表示モジュール１０１に指示することが可能である。ユーザによる当該指示は、ユーザインターフェース表示モジュール１０１により受け取られ、ＵＩプリンタインターフェースモジュール１０２へ送られる。ＵＩプリンタインターフェースモジュール１０２は、指示された命令を解釈して、カラーインクジェットプリンタ２０へコマンドＣＯＭを送信する。カラーインクジェットプリンタ２０は、コマンドＣＯＭをバッファメモリ５０により受信した後に、システムコントローラ５４へ送信する。
【００６４】
カラーインクジェットプリンタ２０は、システムコントローラ５４に送信された命令に基づいて、副走査駆動回路６２により紙送りモータ３１を駆動させる等して、印刷用紙Ｐの給紙を行う（ステップＳ４）。
【００６５】
そして、システムコントローラ５４は、印刷用紙Ｐを紙送り方向へ送りつつ、キャリッジ２８を主走査方向に移動させて、キャリッジ２８に備えられた印刷ヘッド３６からインクを吐出して縁なし印刷を行う（ステップＳ６、ステップＳ８）。なお、印刷用紙Ｐの紙送り方向への送りは、副走査駆動回路６２により紙送りモータ３１を駆動させて、キャリッジ２８の主走査方向への移動は、主走査駆動回路６１によりキャリッジモータ３０を駆動させて、印刷ヘッド３６からのインクの吐出は、ヘッド駆動回路６３により印刷ヘッド３６を駆動させて、それぞれ行われる。
【００６６】
カラーインクジェットプリンタ２０は、ステップＳ６及びステップＳ８の動作を継続して行うが、例えば、主走査方向へのキャリッジ２８の移動回数が所定回数に達した場合（ステップＳ１０）には、次の主走査方向へのキャリッジ２８の移動からは以下の動作を行う。
【００６７】
システムコントローラ５４は、反射型光学センサ制御回路６５により、キャリッジ２８に備えられた反射型光学センサ２９を制御し、当該反射型光学センサ２９の発光部３８からプラテン２６に向けて光を発する（ステップＳ１２）。
【００６８】
システムコントローラ５４は、キャリッジ２８を主走査方向に移動させて、キャリッジ２８に備えられた印刷ヘッド３６からインクを吐出して縁なし印刷を行うとともに、プラテン２６上の紙送り方向の所定の位置であって、主走査方向において異なる複数の位置、に向けて発光部３８から光を発し、発せられた光を受光した受光部４０の出力値に基づいて印刷用紙Ｐが光の進行方向にあるか否かを検知する（ステップＳ１４）。
【００６９】
なお、前述した通り、本実施の形態において、反射型光学センサ２９は、印刷ヘッド３６に設けられた複数のノズルのうち、紙送り方向最上流側に位置するノズル、と、主走査方向において並んで設けられているから、前記紙送り方向の所定の位置は、ノズル＃３６０の紙送り方向の位置にあたる。
【００７０】
また、本実施の形態においては、キャリッジ２８の主走査方向への移動中に、印刷用紙Ｐが光の進行方向にあるか否かを、常に検知する。すなわち、印刷用紙Ｐの端を上記発光部３８から発光された光が遮ると、発光部３８から発せられた光の入射先は、プラテン２６から印刷用紙Ｐに変わるから、その反射光を受光した反射型光学センサ２９の受光部４０の出力値である電気信号の大きさは変化する。そして、この電気信号の大きさを電気信号測定部６６により測定することにより、印刷用紙Ｐの端が前記光を通過したことを検知する。
【００７１】
ステップＳ１４におけるキャリッジ２８の移動が完了したら、キャリッジ２８の主走査方向への移動中に光の進行方向に印刷用紙Ｐが来ることがあったかどうかを、受光部４０の出力値に基づいて判別する（ステップＳ１６）。すなわち、印刷用紙Ｐの端のうち、紙送り方向上流側に位置する端（以下、このような端を下端ともいう）が、紙送り方向の所定位置（本実施の形態においては、ノズル＃３６０の紙送り方向の位置）を通過したかどうかを判定することにより、印刷用紙Ｐのうち紙送り方向上流側に位置する部分を検知する。
【００７２】
ステップＳ１６の判別結果として、光の進行方向に印刷用紙Ｐが来ることがあった場合には、印刷用紙Ｐを紙送り方向へ送った後（ステップＳ１８）、ステップＳ１４に戻り、光の進行方向に印刷用紙Ｐが来ることがなくなるまで、ステップＳ１４からステップＳ１８の上述した動作を繰り返す。
【００７３】
ステップＳ１６の判別結果として、光の進行方向に印刷用紙Ｐが来ることがなかった場合には、以下の動作を行う。
【００７４】
図１０を用いて、より詳細に、説明する。図１０は、印刷ヘッド３６のノズルと印刷用紙Ｐの位置関係を模式的に表した図である。
【００７５】
図１０（ａ）乃至図１０（ｃ）の各図において、左側に示した小さな矩形は、印刷ヘッド３６のノズルを表している。矩形内の番号は、ノズル番号であり、図８に示したノズル番号と対応している。なお、図１０においては、説明を解りやすくするために、ブラックノズル列のみを示しており、また、図８において示した第一ブラックノズル列と第二ブラックノズル列を同一直線上に表している。図１０において、ノズル＃３６０の右側に示した円は、反射型光学センサ２９を表している。前述したとおり、反射型光学センサ２９の紙送り方向の位置は、ノズル＃３６０の紙送り方向の位置と一致している。また、ブラックノズル列の右側には、印刷用紙Ｐの一部（下右端部）を表している。
【００７６】
先ず、図１０（ａ）に着目する。図１０（ａ）は、上述したステップＳ１４からステップＳ１８の動作を繰り返し、ステップＳ１６にて光の進行方向に印刷用紙Ｐが来ることがなかったと判別されたときの印刷ヘッド３６のノズルと印刷用紙Ｐの位置関係を表している。図から明らかな通り、印刷ヘッド３６と反射型光学センサ２９を備えたキャリッジ２８が主走査方向（本実施の形態においては、図中左から右への矢印方向）への移動中に反射型光学センサ２９の発光部３８から発せられる光の進行方向に印刷用紙Ｐが来ることはない。
【００７７】
このようにステップＳ１６の判別結果として、光の進行方向に印刷用紙Ｐが来ることがなかった場合には、図１０（ａ）及び図１０（ｂ）に示すように印刷用紙Ｐを紙送り方向へ送る（ステップＳ２０）。本実施の形態においては、２５・Ｄ（Ｄはドットピッチ）分、印刷用紙Ｐを送っている。
【００７８】
次に、キャリッジ２８を主走査方向（本実施の形態においては、図１０（ｂ）中左から右の矢印方向）へ移動させて、キャリッジ２８に備えられた印刷ヘッド３６のノズルからインクを吐出して縁なし印刷を行う（ステップＳ２４）が、当該印刷においては、印刷ヘッド３６の複数ノズルのうち紙送り方向上流側に位置するノズルからのインクの吐出をさせないようにする。本実施の形態においては、紙送り方向最上流側に位置するノズル及び該ノズルからの紙送り方向の距離が所定距離内にあるノズル、からのインクの吐出をさせないようにしており、当該ノズルは、図１０（ｂ）にて点線で描かれた矩形により示される＃３５３から＃３６０までのノズルである。
【００７９】
上記からも理解されるように、印刷ヘッド３６のノズルからインクを吐出して縁なし印刷を行う（ステップＳ２４）前に、インクの吐出をさせないノズルを決定するための手順（ステップＳ２２）が必要である。インクの吐出をさせないノズルの具体的な決定方法については、後述する。
【００８０】
次に、図１０（ｂ）及び図１０（ｃ）に示すように印刷用紙Ｐを紙送り方向へさらに送る（ステップＳ２０）。本実施の形態においては、ここでも、２５・Ｄ（Ｄはドットピッチ）分、印刷用紙Ｐを送っている。
【００８１】
次に、キャリッジ２８を主走査方向（本実施の形態においては、図１０（ｂ）中左から右の矢印方向）へ移動させて、キャリッジ２８に備えられた印刷ヘッド３６のノズルからインクを吐出して縁なし印刷を行う（ステップＳ２４）が、当該印刷においても、印刷ヘッド３６の複数ノズルのうち紙送り方向上流側に位置するノズルからのインクの吐出をさせないようにする。本実施の形態においては、紙送り方向最上流側に位置するノズル及び該ノズルからの紙送り方向の距離が所定距離内にあるノズル、からのインクの吐出をさせないようにしており、当該ノズルは、図１０（ｃ）にて点線で描かれた矩形により示される＃３４０から＃３６０までのノズルである。インクの吐出をさせないノズルは、ステップＳ２４の前に決定される（ステップＳ２２）。
【００８２】
上記手順、すなわち、ステップＳ２０からステップＳ２４の手順、が、所定回数（図９においては、かかる回数をＮとしている）繰り返された後に、印刷用紙Ｐへの印刷が終了する（ステップＳ２６）。そして、印刷用紙Ｐは副走査駆動回路６２により駆動される紙送りモータ３１により排紙される（ステップＳ２８）。なお、前記所定回数Ｎは、印刷用紙Ｐにドットを記録し尽くす必要性から、前述したノズルピッチｋ、いわゆるオーバーラップ記録方式の採用の有無、採用した場合には同一主走査ライン上のドット群を記録するためのノズル数等、に基づいて決定される。
【００８３】
なお、以上の処理を行うためのプログラムは、ＥＥＰＲＯＭ５８に格納されており、かかるプログラムはシステムコントローラ５４により実行される。
【００８４】
なお、上記においては、光学センサとして反射型のものを用いることとしたが、これに限定されるものではない。例えば、前記発光部と前記受光部を主走査方向及び副走査方向に垂直な方向で対向するように、かつ、前記発光部と前記受光部が印刷用紙を挟むように配置してもよい。
【００８５】
また、上記においては、ステップＳ１０において、キャリッジ２８の主走査方向への移動が所定回数に達した後に、印刷用紙の端が光を通過したことを検知し始めることとしたが、これに限定されるものではない。例えば、最初のキャリッジ２８の主走査方向への移動から前記検知を始めても良いし、理想的な検知タイミングを演算等により求めて、検知回数を最小化してもよい。
【００８６】
また、上記においては、ステップＳ２０からステップＳ２６のループ内で、ステップＳ２２を通過する毎にインクを吐出させないノズルを決定することとしたが、一回目のステップＳ２２において、一回目からＮ回目までの当該ノズルを決定することとしてもよい。
【００８７】
＝＝＝インクを吐出させないノズルの決定方法＝＝＝
前述した通り、インクを吐出させないノズルは、ステップＳ２２において、決定される。ここでは、図９及び図１０を参照しつつ、かかるノズルの決定方法の一例について説明する。
【００８８】
先ず、上記実施の形態において既に説明したとおり、インクの吐出をさせないノズルは、紙送り方向最上流側に位置するノズル及び該ノズルからの紙送り方向の距離が所定距離内にあるノズルである。すなわち、図１０の例では、ノズル＃３６０及び当該ノズル＃３６０からの紙送り方向の距離が所定距離内にあるノズルである。
【００８９】
次に、所定距離について説明する。印刷用紙Ｐのうち紙送り方向上流側に位置する部分が検知された後の印刷用紙Ｐの累積紙送り量の増加に応じて、前記所定距離は大きく設定される。より詳細に言うと、所定距離は、印刷用紙Ｐのうち紙送り方向上流側に位置する部分が検知された後の印刷用紙Ｐの累積紙送り量から所定量を減じた量とする。当該累積紙送り量は、図１０（ｂ）の例では、２５・Ｄ（Ｄはドットピッチ）分の量、図１０（ｃ）の例では、（２５・Ｄ＋２５・Ｄ）分の量である。
【００９０】
前記所定量は、印刷用紙Ｐのうち紙送り方向上流側に位置する部分を検知する検知精度に応じて決定される。仮に、前記所定距離を単に前記累積紙送り量とすると、印刷用紙Ｐのうち紙送り方向上流側に位置する部分を正確に検知できた場合には問題ないが、正確に検知できなかった場合には、インクを吐出させないノズルが印刷用紙Ｐに対向してしまう状況が発生し得る。かかる不都合を回避しある程度のマージンを確保するために、前記所定量が設定される。したがって、前記所定量は、印刷用紙Ｐのうち紙送り方向上流側に位置する部分を検知する検知精度が高いほど小さくなる。図１０の例では、１０・Ｄ分の量を、前記所定量としている。
【００９１】
図１０（ｂ）及び図１０（ｃ）の例に上記決定方法を適用するとインクを吐出しないノズルは以下の通りとなる。
【００９２】
図１０（ｂ）の例では、累積紙送り量は２５・Ｄ分の量であり、また、所定量は１０・Ｄ分の量であった。したがって、所定距離は、１５・Ｄ分の距離である。求めようとしているノズルは、ノズル＃３６０及び当該ノズル＃３６０からの紙送り方向の距離が所定距離内にあるノズルであり、＃３５３から＃３６０までのノズルが当該ノズルとなる。なお、ノズル＃３５３のノズル＃３６０からの紙送り方向の距離は、１４・Ｄ分の距離となる。
【００９３】
図１０（ｃ）の例では、累積紙送り量は５０・Ｄ分の量であり、また、所定量は１０・Ｄ分の量であった。したがって、所定距離は、４０・Ｄ分の距離である。求めようとしているノズルは、ノズル＃３６０及び当該ノズル＃３６０からの紙送り方向の距離が所定距離内にあるノズルであり、＃３４０から＃３６０までのノズルが当該ノズルとなる。なお、ノズル＃３４０のノズル＃３６０からの紙送り方向の距離は、４０・Ｄ分の距離となる。
【００９４】
既に説明したとおり、図９で示したステップＳ２０からステップＳ２４の手順は、所定回数（図９においては、かかる回数をＮとしている）繰り返される。したがって、ステップＳ２２はＮ回繰り返されることとなる。上述した図１０（ｂ）と図１０（ｃ）に係るインクを吐出させないノズルの決定例は、それぞれ、一回目と、二回目のステップＳ２２におけるノズルの決定例である。３回目からＮ回目までのステップＳ２２における当該ノズルの決定についても、同様の方法で行うことができる。
【００９５】
＝＝印刷用紙の紙送り方向上流側に位置する部分を検知する際の検知誤差について＝＝
次に、印刷用紙の紙送り方向上流側に位置する部分を検知する際の検知誤差について考察する。前述したとおり、ステップＳ１４において、印刷用紙Ｐの下端が、紙送り方向の所定位置（本実施の形態においては、ノズル＃３６０の紙送り方向の位置）を通過したかどうかを判定することにより、印刷用紙Ｐのうち紙送り方向上流側に位置する部分を検知するが、当該検知の際には検知誤差が生じる。
【００９６】
図１１を用いて説明する。図１１は、印刷ヘッド３６のノズルと印刷用紙Ｐの位置関係を模式的に表した図である。
【００９７】
図１１において、左側に示した小さな矩形は、印刷ヘッド３６のノズルを表している。矩形内の番号は、ノズル番号であり、図８に示したノズル番号と対応している。なお、図１１においては、説明を解りやすくするために、ブラックノズル列のみを示しており、また、図８において示した第一ブラックノズル列と第二ブラックノズル列を同一直線上に表している。図１１において、ノズル＃３６０の右側に示した円は、反射型光学センサ２９を表している。前述したとおり、反射型光学センサ２９の紙送り方向の位置は、ノズル＃３６０の紙送り方向の位置と一致している。また、ブラックノズル列の右側には、印刷用紙Ｐの一部（下右端部）を表している。二つの印刷用紙Ｐが、図１１において示されているが、紙送り方向下流側に示された印刷用紙Ｐは、その下端位置（以下、第一位置とも呼ぶ）が９・Ｄ分の距離だけ反射型光学センサ２９より紙送り方向下流側にある。また、紙送り方向上流側に示された印刷用紙Ｐは、その下端位置（以下、第二位置とも呼ぶ）が９・Ｄ分の距離だけ反射型光学センサ２９より紙送り方向上流側にある。
【００９８】
前述した通り、印刷用紙Ｐのうち紙送り方向上流側に位置する部分を検知する際に検知誤差が生じるが、当該検知誤差により、紙送り方向上流側に位置する部分が検知されたときの印刷用紙Ｐの下端位置が前記第一位置から前記第二位置までの範囲で変動する。すなわち、印刷用紙Ｐの下端位置が、前記第一位置よりも上流側のどの位置にあっても、印刷用紙Ｐのうち紙送り方向上流側に位置する部分が検知されないときがあり得るし、逆に、印刷用紙Ｐの下端位置が、前記第二位置よりも下流側のどの位置にあっても、印刷用紙Ｐのうち紙送り方向上流側に位置する部分が検知されるときがあり得る。
【００９９】
また、図１１に示すとおり、本実施の形態においては、紙送り方向最上流側に位置するノズル（ノズル＃３６０）の紙送り方向の位置は、前記第一位置より上流側、かつ、前記第二位置より下流側にあり、さらに、前記第一位置と前記第二位置との中間にある。
【０１００】
このように、紙送り方向最上流側に位置するノズル（ノズル＃３６０）の紙送り方向の位置が、前記第一位置より上流側、かつ、前記第二位置より下流側にあることにより、以下のメリットが生ずる。
【０１０１】
図１２及び図１３を用いて説明する。図１２及び図１３は、印刷ヘッド３６のノズルと印刷用紙Ｐの位置関係を模式的に表した図である。図１２及び図１３は、図１１に相当する図であるが、上記第一位置又は上記第二位置と、紙送り方向最上流側に位置するノズル（ノズル＃３６０）の紙送り方向の位置と、の位置関係が、図１１とは異なっている。
【０１０２】
先ず、図１２に着目する。図１２の例では、紙送り方向最上流側に位置するノズル（ノズル＃３６０）の紙送り方向の位置が、前記第一位置及び前記第二位置より上流側にある。すなわち、印刷用紙Ｐの下端位置の、検知誤差による前記変動に関わらず常に、ノズル＃３６０の紙送り方向の位置は、印刷用紙Ｐのうち紙送り方向上流側に位置する部分を検知した際に印刷用紙Ｐの下端位置より上流側にあることとなる。
【０１０３】
本例に、紙送り方向上流側に位置するノズルからのインクの吐出をさせないようにするための既述の手法を適用する場合には、例えば、図１１の例と比較して、印刷用紙に対向しないためインクの吐出を行う必要がないのにインクを吐出してしまうノズルの数が増加する。かかるノズル数の増加は、インクの無駄な消費という不都合を引き起こす。
【０１０４】
次に、図１３に着目する。図１３の例では、紙送り方向最上流側に位置するノズル（ノズル＃３６０）の紙送り方向の位置が、前記第一位置及び前記第二位置より下流側にある。すなわち、印刷用紙Ｐの下端位置の、検知誤差による前記変動に関わらず常に、ノズル＃３６０の紙送り方向の位置は、印刷用紙Ｐのうち紙送り方向上流側に位置する部分を検知した際に印刷用紙Ｐの下端位置より下流側にあることとなる。
【０１０５】
本例に、紙送り方向上流側に位置するノズルからのインクの吐出をさせないようにするための既述の手法を適用する場合には、印刷用紙に対向しておりインクの吐出を行う必要があるのにインクの吐出を行わないノズルが生じてしまう。したがって、かかるノズルの動作により印刷用紙に余白部が発生してしまう。また、当該余白部の発生を回避するためには、前述した所定量により大きな値を設定して、より大きなマージンを確保しなければならないという不都合が生じる。
【０１０６】
これらの二例に比較して、図１１に示した例は、紙送り方向最上流側に位置するノズル（ノズル＃３６０）の紙送り方向の位置が、前記第一位置より上流側、かつ、前記第二位置より下流側にあるので、前記二例について説明した各々の不都合が軽減される。すなわち、図１１に示した例によれば、紙送り方向最上流側に位置するノズルを前記不都合を考慮して理想的な位置に配置したプリンタを実現することが可能となる。
【０１０７】
＝＝＝その他の実施の形態＝＝＝
以上、一実施形態に基づき本発明に係る液体吐出装置等を説明してきたが、上記した発明の実施の形態は、本発明の理解を容易にするためのものであり、本発明を限定するものではない。本発明は、その趣旨を逸脱することなく、変更、改良され得ると共に、本発明にはその等価物が含まれることは勿論である。
【０１０８】
また、媒体として印刷用紙を例にとって説明したが、媒体として、フィルム、布、金属薄板等を用いてもよい。
【０１０９】
また、上記実施の形態においては、液体吐出装置の一例として印刷装置について説明したが、これに限定されるものではない。例えば、カラーフィルタ製造装置、染色装置、微細加工装置、半導体製造装置、表面加工装置、三次元造形機、液体気化装置、有機ＥＬ製造装置（特に高分子ＥＬ製造装置）、ディスプレイ製造装置、成膜装置、ＤＮＡチップ製造装置などに、本実施形態と同様の技術を適用しても良い。このような分野に本技術を適用しても、液体を媒体に向かって吐出することができるという特徴があるので、前述した効果を維持することができる。
【０１１０】
また、上記実施の形態においては、印刷装置の一例としてカラーインクジェットプリンタについて説明したが、これに限定されるものではなく、例えば、モノクロインクジェットプリンタについても適用可能である。
【０１１１】
また、上記実施の形態においては、液体の一例としてインクについて説明したが、これに限定されるものではない。例えば、金属材料、有機材料（特に高分子材料）、磁性材料、導電性材料、配線材料、成膜材料、加工液、遺伝子溶液などを含む液体（水も含む）をノズルから吐出してもよい。
【０１１２】
また、上記実施の形態においては、複数のノズルのうち、紙送り方向最上流側に位置するノズル、の紙送り方向の位置は、前記第一位置と前記第二位置との中間にあることとしたが、これに限定されるものではなく、前記第一位置より上流側にあり、かつ、前記第二位置より下流側にあればよい。  
ただし、紙送り方向最上流側に位置するノズルの紙送り方向の位置が、前記第一位置と前記第二位置とのちょうど中間にあれば、前述した二種類の不都合が最も効果的に軽減され、送り方向最上流側に位置するノズルをより理想的な位置に配置したプリンタを実現することができる点で、上記実施の形態の方が望ましい。
【０１１３】
また、上記実施の形態において、反射型光学センサは、紙送り方向最上流側に位置するノズルと、主走査方向において並んで設けられていることとしたが、これに限定されるものではない。  
ただし、このようにすれば、紙送り方向最上流側に位置するノズルの紙送り方向の位置は、ほぼ確実に、前記第一位置より上流側、かつ、前記第二位置より下流側となることに加えて、反射型光学センサの紙送り方向の位置より上流側への誤差分と下流側への誤差分が等しければ（図１１の例では、当該誤差分を共に９・Ｄとしている）、前記第一位置と前記第二位置とのちょうど中間となる。したがって、前述した効果が得られる点で、上記実施の形態の方がより望ましい。
【０１１４】
また、上記実施の形態においては、印刷用紙のうち紙送り方向上流側に位置する部分を検知し、この検知結果に基づいて、複数のノズルのうち、紙送り方向最上流側に位置するノズル及び当該ノズルからの紙送り方向の距離が所定距離内にあるノズル、からのインクの吐出をさせないようにすることとしたが、これに限定されるものではない。例えば、紙送り方向最上流側に位置するノズル及び当該ノズルからの紙送り方向の距離が所定距離内にあるノズルのうち、インクを吐出するノズルが一部あってもよい。  
ただし、インクの消費量をより減少させることができる点で、上記実施の形態の方がより望ましい。
【０１１５】
また、上記実施の形態においては、印刷用紙のうち紙送り方向上流側に位置する部分が検知された後に、紙送りモータにより印刷用紙を紙送り方向へ送る手順と、印刷ヘッドを移動させて印刷用紙に印刷を行う手順と、を所定回数繰り返して、印刷用紙への印刷を終了することとしたが、これに限定されるものではない。  
ただし、印刷用紙にドットを記録し尽くすことが可能となる点で、上記実施の形態の方がより望ましい。
【０１１６】
また、上記実施の形態においては、前記所定回数は複数回数であり、印刷用紙のうち紙送り方向上流側に位置する部分が検知された後の印刷用紙の累積紙送り量、の増加に応じて、印刷用紙に印刷を行う前記手順における前記所定距離を大きくすることとしたが、これに限定されるものではない。例えば、前記累積紙送り量、の増加に関わらず、前記所定距離を一定の距離としてもよい。  
ただし、このようにすれば、印刷用紙に対向しないノズル数の増加に応じて、インクを吐出させないノズル数を増加させることが可能となり、したがって、インクの消費量をより減少させることができる点で、上記実施の形態の方がより望ましい。
【０１１７】
また、上記実施の形態においては、前記累積紙送り量から所定量を減じた量を前記所定距離とすることとしたが、これに限定されるものではない。例えば、前記累積紙送り量を前記所定距離としてもよい。  
ただし、印刷用紙のうち紙送り方向上流側に位置する部分を検知する際の検知誤差を考慮し、マージンを確保することが可能となる点で、上記実施の形態の方がより望ましい。
【０１１８】
また、上記実施の形態においては、前記所定量は、印刷用紙のうち紙送り方向上流側に位置する部分を検知する検知精度が高いほど小さいこととしたが、これに限定されるものではない。例えば、前記所定量に前記検知精度とは無関係な値を設定してもよい。  
ただし、検知精度の大きさに応じてマージンの量を調整することにより、より効果的にインクを吐出させないノズルを決定することができる点で、上記実施の形態の方がより望ましい。
【０１１９】
また、上記実施の形態においては、印刷用紙の端のうち、紙送り方向上流側に位置する端が、紙送り方向の所定位置を通過したかどうかを判定することにより、印刷用紙のうち紙送り方向上流側に位置する部分を検知することとしたが、これに限定されるものではない。  
ただし、より確実に、印刷用紙のうち紙送り方向上流側に位置する部分を検知することができる点で、上記実施の形態の方が望ましい。
【０１２０】
また、上記実施の形態においては、印刷用紙を支持するためのプラテンと、プラテンに向けて光を発するための発光部と、前記発光部により発せられた光を受光するための受光部と、を備え、受光部の出力値に基づいて印刷用紙が発光部から発せられた光の進行方向にあるか否かを判別することにより、印刷用紙の端のうち、紙送り方向上流側に位置する端が、紙送り方向の所定位置を通過したかどうかを判定することとしたが、これに限定されるものではない。  
ただし、より簡易に、印刷用紙の端のうち、紙送り方向上流側に位置する端が、紙送り方向の所定位置を通過したかどうかを判定することができる点で、上記実施の形態の方がより望ましい。
【０１２１】
また、上記実施の形態においては、プラテン上の紙送り方向の前記所定の位置であって、主走査方向において異なる複数の位置、に向けて発光部から光を発し、発せられた光を受光した受光部の出力値に基づいて印刷用紙が光の進行方向にあるか否かを判別することとしたが、これに限定されるものではない。例えば、プラテン上の紙送り方向の前記所定の位置であって、唯一の位置、に向けて発光部から光を発し、発せられた光を受光した受光部の出力値に基づいて印刷用紙が光の進行方向にあるか否かを判別することとしてもよい。  
ただし、このようにすれば、印刷用紙が傾いている場合等であっても、確実に、印刷用紙のうち紙送り方向上流側に位置する部分を検知することができる点で、上記実施の形態の方がより望ましい。
【０１２２】
また、上記実施の形態においては、主走査方向に移動可能なキャリッジに、発光部と受光部が設けられており、キャリッジを主走査方向に移動させながら、プラテン上の紙送り方向の前記所定の位置であって、主走査方向において異なる複数の位置、に向けて発光部から光を発し、発せられた光を受光した受光部の出力値に基づいて印刷用紙が光の進行方向にあるか否かを判別することとしたが、これに限定されるものではない。例えば、発光部と受光部の位置を固定とし、プラテン上の紙送り方向の前記所定の位置であって、主走査方向において異なる複数の位置、に向けて発光部から光を発し、発せられた光を受光した受光部の出力値に基づいて印刷用紙が光の進行方向にあるか否かを判別することとしてもよい。  
ただし、このようにすれば、主走査方向において異なる複数の前記位置に向けて発光部から光を発する際に、前記位置毎に光を発する方向を変化させる必要がない点で、上記実施の形態の方がより望ましい。
【０１２３】
また、上記実施の形態においては、キャリッジは、印刷ヘッドを備えており、キャリッジを主走査方向に移動させながら、紙送り方向の前記所定の位置であって、主走査方向において異なる複数の位置、に向けて発光部から光を発し、発せられた光を受光した受光部の出力値に基づいて印刷用紙が光の進行方向にあるか否かを判別すると共に、印刷ヘッドに設けられたノズルからインクを吐出して印刷用紙に印刷を行うこととしたが、これに限定されるものではない。例えば、キャリッジと前記発光部及び前記受光部を、主走査方向に別個に移動可能とする構成としてもよい。  
ただし、このようにすれば、キャリッジと前記発光部及び前記受光部の移動機構を共通化することができる点で、上記実施の形態の方が望ましい。
【０１２４】
また、上記実施の形態においては、縁なし印刷を行うこととしたが、これに限定されるものではない。  
ただし、縁なし印刷の場合には、印刷用紙の全表面を対象として印刷を行うため、ノズル面の一部が印刷用紙に対向しない状態において印刷用紙に対向しないノズルからインクを吐出する状況が生じやすいから、上記手段によるメリットがより大きくなる。
【０１２５】
＝＝＝コンピュータシステム等の構成＝＝＝
次に、本発明に係る実施形態の一例であるコンピュータシステムの実施形態について、図面を参照しながら説明する。
【０１２６】
図１４は、コンピュータシステムの外観構成を示した説明図である。コンピュータシステム１０００は、コンピュータ本体１１０２と、表示装置１１０４と、プリンタ１１０６と、入力装置１１０８と、読取装置１１１０とを備えている。コンピュータ本体１１０２は、本実施形態ではミニタワー型の筐体に収納されているが、これに限られるものではない。表示装置１１０４は、ＣＲＴ（Cathode Ray Tube：陰極線管）やプラズマディスプレイや液晶表示装置等が用いられるのが一般的であるが、これに限られるものではない。プリンタ１１０６は、上記に説明されたプリンタが用いられている。入力装置１１０８は、本実施形態ではキーボード１１０８Ａとマウス１１０８Ｂが用いられているが、これに限られるものではない。読取装置１１１０は、本実施形態ではフレキシブルディスクドライブ装置１１１０ＡとＣＤ−ＲＯＭドライブ装置１１１０Ｂが用いられているが、これに限られるものではなく、例えばＭＯ（Magneto Optical）ディスクドライブ装置やＤＶＤ（Digital Versatile Disk）等の他のものであっても良い。
【０１２７】
図１５は、図１４に示したコンピュータシステムの構成を示すブロック図である。コンピュータ本体１１０２が収納された筐体内にＲＡＭ等の内部メモリ１２０２と、ハードディスクドライブユニット１２０４等の外部メモリがさらに設けられている。
【０１２８】
なお、以上の説明においては、プリンタ１１０６が、コンピュータ本体１１０２、表示装置１１０４、入力装置１１０８、及び、読取装置１１１０と接続されてコンピュータシステムを構成した例について説明したが、これに限られるものではない。例えば、コンピュータシステムが、コンピュータ本体１１０２とプリンタ１１０６から構成されても良く、コンピュータシステムが表示装置１１０４、入力装置１１０８及び読取装置１１１０のいずれかを備えていなくても良い。
【０１２９】
また、例えば、プリンタ１１０６が、コンピュータ本体１１０２、表示装置１１０４、入力装置１１０８、及び、読取装置１１１０のそれぞれの機能又は機構の一部を持っていても良い。一例として、プリンタ１１０６が、画像処理を行う画像処理部、各種の表示を行う表示部、及び、デジタルカメラ等により撮影された画像データを記録した記録メディアを着脱するための記録メディア着脱部等を有する構成としても良い。
【０１３０】
このようにして実現されたコンピュータシステムは、システム全体として従来システムよりも優れたシステムとなる。
【図面の簡単な説明】
【０１３１】
【図１】本発明の一例としての印刷システムの構成を示すブロック図である。
【図２】カラーインクジェットプリンタ２０の主要な構成の一例を示す概略斜視図である。
【図３】反射型光学センサ２９の一例を説明するための模式図である。
【図４】インクジェットプリンタのキャリッジ２８周辺の構成を示した図である。
【図５】キャリッジ２８に取付けられたリニア式エンコーダ１１の構成を模式的に示した説明図である。
【図６】ＣＲモータ正転時及び逆転時におけるリニア式エンコーダ１１の２つの出力信号の波形を示したタイミングチャートである。
【図７】カラーインクジェットプリンタ２０の電気的構成の一例を示すブロック図である。
【図８】印刷ヘッド３６の下面におけるノズル配列を示す説明図である。
【図９】第一の実施の形態を説明するためのフローチャートである。
【図１０】印刷ヘッド３６のノズルと印刷用紙Ｐの位置関係を模式的に表した図である。
【図１１】印刷ヘッド３６のノズルと印刷用紙Ｐの位置関係を模式的に表した図である。
【図１２】印刷ヘッド３６のノズルと印刷用紙Ｐの位置関係を模式的に表した図である。
【図１３】印刷ヘッド３６のノズルと印刷用紙Ｐの位置関係を模式的に表した図である。
【図１４】コンピュータシステムの外観構成を示した説明図である。
【図１５】図１４に示したコンピュータシステムの構成を示すブロック図である。
【符号の説明】
【０１３２】
１１  リニア式エンコーダ            １２  リニア式エンコーダ用符号板
１３  ロータリ式エンコーダ          ２０  カラーインクジェットプリンタ
２１  ＣＲＴ                        ２２  用紙スタッカ
２４  紙送りローラ                  ２５  プーリ
２６  プラテン                      ２８  キャリッジ
２９  反射型光学センサ              ３０  キャリッジモータ
３１  紙送りモータ                  ３２  牽引ベルト
３４  ガイドレール                  ３６  印刷ヘッド
３８  発光部                        ４０  受光部
５０  バッファメモリ                ５２  イメージバッファ
５４  システムコントローラ          ５６  メインメモリ
５８  ＥＥＰＲＯＭ                  ６１  主走査駆動回路
６２  副走査駆動回路                ６３  ヘッド駆動回路
６５  反射型光学センサ制御回路      ６６  電気信号測定部
９０  コンピュータ                  ９１  ビデオドライバ
９５  アプリケーションプログラム    ９６  プリンタドライバ
９７  解像度変換モジュール          ９８  色変換モジュール
９９  ハーフトーンモジュール        １００  ラスタライザ
１０１  ユーザインターフェース表示モジュール
１０２  ＵＩプリンタインターフェースモジュール
１０００  コンピュータシステム      １１０２  コンピュータ本体
１１０４  表示装置                  １１０６  プリンタ
１１０８  入力装置                  １１０８Ａ  キーボード
１１０８Ｂ  マウス                  １１１０  読取装置
１１１０Ａ  フレキシブルディスクドライブ装置
１１１０Ｂ  ＣＤ−ＲＯＭドライブ装置
１２０２  内部メモリ
１２０４  ハードディスクドライブユニット
【図１】
2006297946.tif 000003
【図２】
2006297946.tif 000004
【図３】
2006297946.tif 000005
【図４】
2006297946.tif 000006
【図５】
2006297946.tif 000007
【図６】
2006297946.tif 000008
【図７】
2006297946.tif 000009
【図８】
2006297946.tif 000010
【図９】
2006297946.tif 000011
【図１０】
2006297946.tif 000012
【図１１】
2006297946.tif 000013
【図１２】
2006297946.tif 000014
【図１３】
2006297946.tif 000015
【図１４】
2006297946.tif 000016
【図１５】
2006297946.tif 000017